【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
複数の生体高分子アレイを備えた基質表面を含むアレイユニットであって、該アレイは複数のフィーチャを各々含み、該アレイは表面エネルギー遷移によって各々包囲されて、該アレイに適用される別個の液体試料間の離隔距離を保つようになっており、前記基質表面が、前記アレイを備える連続領域全体にわたって物理的に遮断されていないアレイユニット。
【請求項２】
前記表面エネルギー遷移が、前記アレイを備える領域の間とアレイを備える領域を包囲するアレイ間表面領域とによって生じ、該アレイ間表面領域が、該包囲される領域の周辺部よりも疎水性が高い請求項１に記載のアレイユニット。
【請求項３】
前記包囲される領域の周辺部が前記アレイの周辺部である請求項２に記載のアレイユニット。
【請求項４】
前記生体高分子にポリヌクレオチドまたはペプチドが含まれる請求項２に記載のアレイユニット。
【請求項５】
前記アレイ間表面領域が前記アレイの前記フィーチャよりも疎水性が高い請求項４に記載のアレイユニット。
【請求項６】
前記アレイ間領域に侵入する前に前記アレイが収容できる水量はＶまでであり、Ｖは、
【数１】
2004233357.tif 000001
によって得られ、Ｖ（ｒ，θc）は、静止小滴の量であり、ｒは、円形アレイの半径、または非円形アレイの場合は等価面積をもたらす半径であり、θcは２０度を超える接触角である請求項５に記載のアレイユニット。
【請求項７】
前記アレイの前記フィーチャの接触角が、２０度未満で、その全フィーチャ面積が各アレイの面積の少なくとも３０％である請求項５に記載のアレイユニット。
【請求項８】
前記アレイが円形である請求項４に記載のアレイユニット。
【請求項９】
隣接するアレイ間の最小離隔距離が、前記アレイの前記フィーチャ間の平均間隔の少なくとも２倍である請求項４に記載のアレイユニット。
【請求項１０】
隣接するアレイ間の最小離隔距離が、前記アレイの前記フィーチャ間の平均間隔の１０倍以下である請求項５に記載のアレイユニット。
【請求項１１】
各アレイに５０〜１０００のフィーチャが含まれる請求項４に記載のアレイユニット。
【請求項１２】
前記アレイ間表面領域に、前記基質表面に結合した、異なるタイプの分子が含まれる請求項４に記載のアレイユニット。
【請求項１３】
前記アレイの各フィーチャには、前記基質表面に結合した、異なるタイプの分子が含まれ、該異なるタイプの分子のサブセットのみによって、生体高分子が前記フィーチャ内の前記表面に共有結合される請求項１２に記載のアレイユニット。
【請求項１４】
各アレイに、内側領域と該内側領域を包囲する外側領域とが含まれており、各領域が複数のフィーチャを備え、前記外側領域を占めるフィーチャの割合が前記内側領域を占めるフィーチャの割合を超える請求項４に記載のアレイユニット。
【請求項１５】
各アレイの前記外側領域が少なくとも８つのフィーチャを含む請求項１４に記載のアレイユニット。
【請求項１６】
前記外側領域の前記フィーチャの大部分は同じ組成である請求項１５に記載のアレイユニット。
【請求項１７】
請求項４に記載のアレイを使用する方法であって、各アレイに別個の液体試料を適用し、複数の別個の試料が基質表面に同時に存在するようにし、一方で、より疎水性の高いアレイ間領域によって適用された試料間の離隔距離が保たれるようにするステップを含む方法。
【請求項１８】
請求項７に記載のアレイを使用する方法であって、各アレイに別個の液体試料を適用し、複数の別個の試料が基質表面に同時に存在するようにし、一方で、より疎水性の高いアレイ間領域によって適用された試料間の離隔距離が保たれるようにするステップを含む方法。
【請求項１９】
前記アレイ間領域に侵入する前に前記アレイが収容できる水量はＶまでであり、Ｖは、
【数２】
2004233357.tif 000002
によって得られ、Ｖ（ｒ，θc）は、静止小滴の量であり、ｒは、円形アレイの半径、または非円形アレイの場合は等価面積をもたらす半径であり、θcは２０度を超える接触角である請求項１７に記載の方法。
【請求項２０】
前記アレイ間に物理的障壁が存在しない請求項１７に記載の方法。
【請求項２１】
前記アレイフィーチャにポリヌクレオチドまたはペプチドが含まれ、各試料にポリヌクレオチドまたはペプチドが含まれる請求項１７に記載の方法。
【請求項２２】
各アレイは、少なくとも１時間にわたって、そのアレイに適用された別個の液体試料と接触したままである請求項２１に記載の方法。
【請求項２３】
請求項４に記載のアレイユニットを使用する方法であって、各アレイに別個の液体試料を適用し、複数の別個の試料が基質表面に同時に存在するようにし、一方で、より疎水性の高いアレイ間領域によって適用された試料間の離隔距離が保たれるようにするステップを含む方法。
【請求項２４】
前記接触角は９０度を越える請求項１９に記載のアレイユニット。
【請求項２５】
前記アレイの前記フィーチャの接触角が、３０度未満で、その全フィーチャ面積が各アレイの面積の少なくとも３０％である請求項２３に記載のアレイユニット。
【請求項２６】
前記アレイが円形である請求項２３に記載のアレイユニット。
【請求項２７】
前記アレイフィーチャにポリヌクレオチドまたはペプチドが含まれ、各試料にポリヌクレオチドまたはペプチドが含まれる請求項２３に記載の方法。
【請求項２８】
各アレイは、少なくとも１時間にわたって、そのアレイに適用された別個の液体試料と接触したままである請求項２３に記載の方法。
【請求項２９】
請求項４に記載のアレイを製造する方法であって、
（ａ）基質表面のフィーチャを形成すべき位置に、生体高分子前駆体を含む小滴を付着させ、該前駆体が該基質表面の該位置に結合された状態にするステップと、
（ｂ）該結合した前駆体が次に付着する前駆体と結合するようにして、前記アレイが製作されるまで、各位置において（ａ）を反復するステップと
を含み、前記アレイが形成される領域の疎水性が、（ａ）の反復後に、アレイ間領域よりも低くなる方法。
【請求項３０】
前記基質表面の、前記アレイ間領域と、前記フィーチャ位置を含むアレイを形成する領域との両方において、該基質表面に結合した組成物が含まれ、ステップ（ａ）の実施中に、該組成物の少なくとも１つの成分によって前記生体高分子前駆体が前記表面に結合される請求項２９に記載の方法。
【請求項３１】
前記組成物に、前記基質表面に結合する異なるタイプの分子が含まれ、該異なるタイプの分子のサブセットのみによって、生体高分子が前記フィーチャ内の前記表面に共有結合される請求項３０に記載の方法。
【請求項３２】
基質表面上に複数の生体高分子アレイが含まれているアレイユニットを使用する方法であって、各アレイが複数のフィーチャを具備し、該アレイがアレイ間表面領域によって分離され、前記基質表面が前記アレイを備える連続領域全体にわたって物理的に遮断されていることはなく、別個の液体試料を各アレイに適用して、複数の別個の試料が前記基質表面に同時に存在するようにし、一方で、前記アレイ間領域によって分離状態が保たれるようにするステップを含む方法。
【請求項３３】
前記アレイユニットに関連づけられたコードを読み取るステップと、該コードまたは該コードにリンクされたファイルから前記アレイに適用されるべき液体試料の量に関する情報を検索するステップとを含む請求項４に記載のアレイユニットを使用する方法。
【請求項３４】
前記液体試料が水分を保持するための湿潤剤を含む水性試料である請求項３３に記載の方法。
【請求項３５】
前記湿潤剤はポリエチレン・グリコールを含む請求項３４に記載の方法。